(57)【要約】【課題】電気錠の寿命を予測する手段を提供する。【解決手段】入退室管理サーバ１は、電気錠６を制御する制御装置４それぞれから、電気錠６の施錠信号と、当該電気錠６の設置される扉の開閉信号と、当該電気錠６の故障信号とを取得し、電気錠６ごとに、当該電気錠６の累積稼動時間Ａ、所定時間における当該電気錠６の設置される扉の開閉回数Ｂ、および、当該電気錠６の累積故障時間Ｃを示した電気錠情報を作成する。そして、電気錠情報と、当該電気錠６の耐用回数Ｄとを参照して、以下の式（１）により当該電気錠６の寿命の予測値を計算する。  当該電気錠の耐用回数Ｄ／所定時間における扉の開閉回数Ｂ−｛当該電気錠６の累積稼動時間Ａ＋（当該電気錠の累積稼動時間Ａ／当該電気錠の累積故障時間Ｃ）｝…式（１）【選択図】図２
2014133995.tif 000002
【特許請求の範囲】
【請求項１】
電気錠を制御する制御装置から、前記電気錠の施錠信号と、当該電気錠の設置される扉の開閉信号と、当該電気錠の故障信号とを取得し、前記取得した各信号に基づき、記憶部の電気錠情報に示される当該電気錠の累積稼動時間Ａ、所定時間における当該電気錠の設置される扉の開閉回数Ｂ、および、当該電気錠の累積故障時間Ｃを更新する電気錠情報記録部と、
前記電気錠情報と、前記電気錠それぞれの耐用回数Ｄとを記憶する前記記憶部と、
前記電気錠情報と、当該電気錠の耐用回数Ｄとを参照して、以下の式（１）により当該電気錠の寿命の予測値を計算する電気錠寿命計算部と、
前記電気錠の寿命の予測値＝前記電気錠の耐用回数Ｄ／前記所定時間における当該電気錠の設置される扉の開閉回数Ｂ−｛前記電気錠の累積稼動時間Ａ＋（前記電気錠の累積稼動時間Ａ／前記電気錠の累積故障時間Ｃ）｝…式（１）
前記電気錠の寿命の予測値を出力する出力部と、
を備えることを特徴とする電気錠寿命予測装置。
【請求項２】
前記電気錠情報は、
当該電気錠の累積故障時間Ｃに代えて、前記電気錠の累積故障回数を含み、
前記電気錠情報記録部は、
前記電気錠の故障信号に基づき、当該電気錠の累積故障時間Ｃに代えて、前記電気錠情報に示される当該電気錠の累積故障回数を更新し、
前記電気錠寿命計算部は、前記式（１）における（前記電気錠の累積稼動時間Ａ／前記電気錠の累積故障時間Ｃ）に代えて、前記電気錠の累積故障回数×所定係数αを用いて、当該電気錠の寿命の予測値を計算すること
を特徴とする請求項１に記載の電気錠寿命予測装置。
【発明の詳細な説明】
【技術分野】
【０００１】
本発明は、電気錠の寿命の予測技術に関する。
【背景技術】
【０００２】
入退室管理システムにおいて、各部屋の施錠および開錠には電気錠が用いられることが多い。この電気錠は経年劣化等により、故障が発生することがあり、故障が発生してから、電気錠を交換したのでは、防犯上好ましくない。このような問題に対し、電気錠の施錠時間（扉が閉まってから電気錠が施錠されるまでの時間）の平均値を計算し、この施錠時間の平均値が所定値を超えたとき、電気錠が、故障の発生しやすい状態になったと判断し、その旨を管理者等に通知するシステムが提案されている（特許文献１参照）。
【先行技術文献】
【特許文献】
【０００３】
【特許文献１】特開２００８−２７４５５８号公報
【発明の概要】
【発明が解決しようとする課題】
【０００４】
しかし、特許文献１に記載の技術は、電気錠（および電気錠が設置された扉）の故障が発生する可能性が高い状態になったことを通知するものに過ぎない。つまり、電気錠が故障したり、また電気錠自体の交換が必要となったりする時期（電気錠の寿命）がいつ頃かを予測することはできない。このような状態は、入退室管理システムにおける各設備の維持管理および故障の予防保全の観点からも好ましくない。そこで、本発明は、入退室管理システムにおける電気錠の寿命を予測する手段を提供することを目的とする。
【課題を解決するための手段】
【０００５】
前記した課題を解決するため、本発明は、電気錠を制御する制御装置から、前記電気錠の施錠信号と、当該電気錠の設置される扉の開閉信号と、当該電気錠の故障信号とを取得し、前記取得した各信号に基づき、記憶部の電気錠情報に示される当該電気錠の累積稼動時間Ａ、所定時間における当該電気錠の設置される扉の開閉回数Ｂ、および、当該電気錠の累積故障時間Ｃを更新する電気錠情報記録部と、前記電気錠情報と、前記電気錠それぞれの耐用回数Ｄとを記憶する前記記憶部と、前記電気錠情報と当該電気錠の耐用回数Ｄとを参照して、以下の式（１）により前記電気錠の寿命の予測値を計算する電気錠寿命計算部と、前記電気錠の寿命の予測値を出力する出力部とを備える電気錠寿命予測装置とした。その他の構成については、実施の形態で述べる。
前記電気錠の寿命の予測値＝前記電気錠の耐用回数Ｄ／前記所定時間における当該電気錠の設置される扉の開閉回数Ｂ−｛前記電気錠の累積稼動時間Ａ＋（前記電気錠の累積稼動時間Ａ／前記電気錠の累積故障時間Ｃ）｝…式（１）
【発明の効果】
【０００６】
本発明によれば、入退室管理システムにおける電気錠の寿命を予測することができるので、入退室管理システムの管理者等は、入退室管理システムにおける各設備の維持管理および故障の予防保全を行いやすくなる。
【図面の簡単な説明】
【０００７】
【図１】本実施の形態のシステムの構成例を示した図である。
【図２】図１の入退室管理サーバおよびＤＢ（データベース）部を詳細に説明するための図である。
【図３】図１の制御装置の構成を説明するための図である。
【図４】図１の制御装置と電気錠との電気的インタフェースを説明するための図である。
【図５】図１の入退室管理サーバによる電気錠の寿命の予測値計算手順を示した図である。
【発明を実施するための形態】
【０００８】
本発明の実施形態について、適宜図面を参照しながら詳細に説明する。ここでは、本発明の電気錠寿命予測装置が、入退室管理サーバ１により実現される場合を例に説明する。
【０００９】
まず、図１を用いて、入退室管理サーバ１を含むシステムの構成例を説明する。図１において、入退室管理サーバ１が管理対象とするビルＡには、部屋Ａ〜部屋Ｄの４室がある。システムは、入退室管理サーバ１、表示装置２、ＤＢ部（データベース部、記憶装置）３、制御装置４、ＣＲ（カードリーダ）５および電気錠６を備える。ＣＲ５および電気錠６は、各部屋に設置される。
【００１０】
入退室管理サーバ１は、各制御装置４と通信回線７で接続され、各制御装置４から取得した電気錠６の施錠および開錠の信号等から、電気錠６の施錠および開錠の状態や、各部屋への入退室の履歴等を表示装置２に表示させる。また、入退室管理サーバ１は、電気錠６の施錠および開錠の信号や、電気錠６の設置される扉の開閉信号等をもとに電気錠６の寿命の予測値を計算し、表示装置２等へ出力する。電気錠６の寿命の予測値の計算処理の詳細は後記する。
【００１１】
表示装置２は、入退室管理サーバ１から出力された情報を表示する装置であり、例えば、液晶モニタ等である。
【００１２】
ＤＢ部３は、各部屋への入室を行う各人のカード番号、通行権限、氏名等の情報等を示した個人識別情報を記憶する（図２参照）。また、このＤＢ部３は、電気錠情報（詳細は後記）と各電気錠６の耐用回数を示した情報（電気錠耐用回数情報）とを記憶する。これらの情報は、入退室管理サーバ１が各電気錠６の寿命（電気錠６の交換時期までの残り時間）の予測値の計算を行うときに参照される。このＤＢ部３は、ハードディスク装置や、コンピュータ等により実現される。
【００１３】
制御装置４には、ＤＢ部３に格納されている個人識別情報と同じ個人識別情報が格納される。この制御装置４は、ＣＲ５と電気錠６とに接続され、ＣＲ５によって読み出されたカード番号と、制御装置４に格納されている個人識別情報のカード番号とを照合し、電気錠６の開錠を行う。この制御装置４は、ＣＲ５で読み取られたカード番号と電気錠６の開錠の情報とから各人の入退室履歴を記録する。また、制御装置４は、この電気錠６の施錠・開錠の信号と、この電気錠６が設置される扉の開閉信号とを取得し、入退室管理サーバ１へ送信する。さらに、制御装置４は、自身の制御装置４に接続される電気錠６の故障（および故障の復旧）の検出時には、その旨の信号を入退室管理サーバ１へ送信する。
【００１４】
ＣＲ５は、各部屋に入室する個人を識別する装置であり、例えば、ＩＣカードや磁気式カードの情報を読み取るカードリーダである。このＣＲ５は、各部屋に入室する個人を識別する装置であればよく、テンキーや生体認証装置等を用いてもよい。
【００１５】
次に、図２を用いて、ＤＢ部３および入退室管理サーバ１を詳細に説明する。図２において、表示装置２および部屋Ｃ，Ｄは図示を省略している。
【００１６】
ＤＢ部３は、個人識別情報と電気錠情報と電気錠耐用回数情報を記憶する。個人識別情報は前記したとおりなので説明を省略する。電気錠情報は、電気錠６ごとに、当該電気錠６の累積稼動時間（当該電気錠６が設置されてからの累積稼動時間）、当該電気錠６の設置される扉の開閉回数、当該電気錠６の累積故障時間（当該電気錠６が設置されてからの累積故障時間）等を示した情報であり、入退室管理サーバ１により更新される。電気錠耐用回数情報は、電気錠６の耐用回数を示した情報である。この電気錠６の耐用回数は、例えば、電気錠６の設置される扉の開閉回数で示される。例えば、当該電気錠６の耐用回数が10000回である場合、当該電気錠６の設置される扉の開閉回数が10000回を超えると、当該電気錠６に故障が発生する可能性が高くなることを示す。電気錠耐用回数情報は、システムで用いる電気錠６の種別が複数であれば、当該種別ごとに用意される。
【００１７】
入退室管理サーバ１は、電気錠６の施錠・開錠の状態や、各部屋への入退室の履歴等を表示装置２へ表示する。また、入退室管理サーバ１は、各制御装置４から取得した電気錠６の施錠・開錠の信号や、電気錠６の設置される扉の開閉信号、電気錠６の故障・復旧の信号から、各電気錠６の寿命の予測値を計算し、その計算結果を表示装置２へ表示する。
【００１８】
この入退室管理サーバ１は、図２に示すように入出力部１１、制御部１２および記憶部１３を備える。
【００１９】
入出力部１１は、他の装置との間で信号や情報の入出力を行う。例えば、入出力部１１は、制御装置４から各電気錠６の施錠・開錠の信号や、扉の開閉信号を受信したり、ＤＢ部３の電気錠情報の読み出しや更新をしたり、表示装置２へ電気錠６の寿命の予測値を出力したりする。この入出力部１１は通信回線７を介して情報の送受信を行う通信インタフェースと、入力装置（キーボード等、図示省略）、表示装置２、ＤＢ部３等との間で入出力を行う入出力インタフェースとにより構成される。
【００２０】
制御部１２は、入退室管理サーバ１全体の制御を司り、電気錠情報記録部１２２、電気錠寿命推定部１２１および表示処理部１２３を備える。この制御部１２は、入退室管理サーバ１の備えるＣＰＵ（Central Processing Unit、図示省略）によるプログラム実行処理や、専用のハードウェアにより実現される。
【００２１】
電気錠情報記録部１２２は、制御装置４から、この制御装置４に接続される各電気錠６の施錠・開錠信号と、電気錠６の設置される扉の開閉信号と、電気錠６の故障・復旧信号とを取得する。そして、電気錠情報記録部１２２は、取得した各信号に基づき、各電気錠６の累積稼動時間Ａと、電気錠６の設置される扉の開閉回数Ｂと、各電気錠６の累積故障時間Ｃとを計算して、電気錠情報である各電気錠６の累積稼動時間Ａと、電気錠６の設置される扉の開閉回数Ｂと、各電気錠６の累積故障時間Ｃとを更新する。
【００２２】
電気錠寿命推定部１２１は、ＤＢ部３に電気錠情報として示される、扉の電気錠６の累積稼動時間Ａと、所定時間における当該扉の開閉回数Ｂと、当該電気錠６の累積故障時間Ｃとを読み出し、電気錠耐用回数情報に示される、電気錠６の耐用回数Ｄとを用いて、以下の式（１）により電気錠６の寿命の予測値を計算する。
電気錠の寿命の予測値＝電気錠の耐用回数Ｄ／所定時間における当該電気錠の設置される扉の開閉回数Ｂ−｛電気錠の累積稼動時間Ａ＋（電気錠の累積稼動時間Ａ／電気錠の累積故障時間Ｃ）｝…式（１）
このような計算式によれば、電気錠６の寿命の予測値に、当該電気錠６の累積稼動時間Ａおよび累積故障時間Ｃを反映させることができる。つまり、電気錠６の累積稼動時間が長く、また、累積故障時間Ｃが短いほど、電気錠６の寿命の予測値を短いものとすることができる。
【００２３】
表示処理部１２３は、ＤＢ部３に記憶された各種情報や、制御装置４から通知された異常の通知（発報）を表示装置２に表示させる。
【００２４】
記憶部１３は、ＲＡＭ（Random Access Memory）やＨＤＤ（Hard Disk Drive）、フラッシュメモリ等の記憶装置からなり、制御部４２におけるデータ処理に必要な情報を記憶する。
【００２５】
次に、図３を用いて、制御装置４を詳細に説明する。図３に示すように、制御装置４は、入出力部４１、制御部４２および記憶部４３を備える。
【００２６】
入出力部４１は、ＣＲ５により読み取られた個人識別情報や、入力された電気錠６の施錠・開錠信号、扉の開閉信号を入退室管理サーバ１（図２参照）へ送信する。この入出力部４１は通信回線７を介して情報の送受信を行う通信インタフェースと、ＣＲ５等との間で信号の入出力を行うインタフェースとにより実現される。
【００２７】
制御部４２は、制御装置４全体の制御を司り、開閉制御部４２１と、電気錠監視部４２２とを備える。開閉制御部４２１は、ＣＲ５により読み取られたカード番号を入出力部４１経由で取得し、この取得したカード番号と、記憶部４３に記憶された個人識別情報とを照合して、電気錠６を開錠したり、施錠したりする。電気錠監視部４２２は、この制御装置４に接続される電気錠６が正常に稼動しているか否かと、当該電気錠６の施錠および開錠の状態と、当該電気錠６の設置される扉の開閉状態とを監視する。電気錠監視部４２２は、この監視結果を示す信号を、入出力部４１経由で入退室管理サーバ１へ送信する。
【００２８】
記憶部４３は、前記した個人識別情報を記憶する。この個人識別情報は、ＤＢ部３に記憶される個人識別情報と同じ情報である。
【００２９】
次に、図４を用いて、図３の制御装置４と電気錠６との電気的インタフェースについて説明する。制御装置４と電気錠６とは図４に示すようにコネクタにより接続される。
制御装置４（開閉制御部４２１（図３参照））は端子６０１，６０２の駆動信号により電気錠６のソレノイドを制御し、電気錠６の開錠動作を行わせる。また、制御装置４（電気錠監視部４２２（図３参照））は、ドア閉入力の端子６０３により電気錠６の設置される扉（ドア）の閉信号の入力を受け付ける。さらに、制御装置４（電気錠監視部４２２（図３参照））は、電気錠６の開錠入力の端子６０４により電気錠６の開錠信号の入力を受け付け、電気錠６の施錠入力の端子６０５により電気錠６の施錠信号の入力を受け付ける。
【００３０】
制御装置４の電気錠監視部４２２は、電気錠６から施錠信号、開錠信号、扉の開信号、扉の閉信号の入力を受け付けると、その情報を通信回線７（図２参照）経由で入退室管理サーバ１へ送信する。また、電気錠監視部４２２は、電気錠６へ施錠信号または開錠信号を出力したが、これに対する応答が電気錠６から受信できなかったとき、当該電気錠６において故障が発生したと判断し、その旨の信号を通信回線７経由で入退室管理サーバ１へ送信する。また、その後、電気錠監視部４２２において電気錠６へ施錠信号または開錠信号を出力し、これに対する応答が電気錠６から受信できたとき、故障が復旧したと判断し、その旨の信号を入退室管理サーバ１へ送信する。
【００３１】
入退室管理サーバ１は、制御装置４から、電気錠６の施錠信号、開錠信号、この電気錠６の設置される扉の開信号、扉の閉信号の入力を受け付けると、これらの信号に基づき、各電気錠６の累積稼動時間、扉の開閉回数の計算を行い、その結果を用いて電気錠情報を更新する。また、入退室管理サーバ１は制御装置４から電気錠６の故障の信号（故障の発報）を受信した場合、復旧の信号を受信するまでの時間を計測して、電気錠情報の故障時間の情報を更新する。
【００３２】
ここで、図５を用いて、図３の入退室管理サーバ１の電気錠寿命推定部１２１による電気錠６の寿命の予測値を計算処理の例を説明する。
【００３３】
まず、電気錠寿命推定部１２１は、電気錠情報から、電気錠６の累積稼動時間を読み出し、この時間を稼動年数に換算する（Ｓ１：稼動年数計算）。また、電気錠情報から、この電気錠６の開閉回数を、当該電気錠６が設置されてからの経過年数で割り、１年間での扉の開閉回数の予測値を計算する（Ｓ２）。そして、電気錠寿命推定部１２１は、電気錠の耐用回数Ｄ（電気錠６の設置される扉の開閉の耐用回数）を、Ｓ２で計算した１年間での扉の開閉回数の予測値で割り、電気錠６の耐用予測年数を計算する（Ｓ３）。そして、以下の式（２）により、電気錠６の寿命の予測値を計算する（Ｓ４）。
【００３４】
電気錠の寿命の予測値＝電気錠の耐用回数Ｄ／所定時間（１年間）における扉の開閉回数Ｂ−｛当該扉の電気錠の稼動年数Ａ＋（当該扉の電気錠の稼動年数Ａ／当該電気錠の累積故障時間Ｃ）｝…式（２）
【００３５】
そして、表示処理部１２３（図２参照）は、Ｓ４の計算結果を表示装置２へ表示する（Ｓ５）。
【００３６】
入退室管理サーバ１は、以上のような処理を各電気錠６について行う。なお、電気錠寿命推定部１２１は、Ｓ４で計算した電気錠６の寿命の予測値が所定の値よりも小さくなったとき（つまり、当該電気錠６に故障が発生する可能性が高い時期となったとき）、その旨を表示装置２に表示するようにしてもよい。このようにすることで、電気錠６の寿命年数が予測できるため、システムの管理者等が電気錠６の予防保全・維持管理をしやすくなる。
【００３７】
なお、前記した実施の形態において、式（２）における（当該扉の電気錠の稼動年数Ａ／当該電気錠の累積故障時間Ｃ）に代えて、電気錠６の故障回数×所定の係数（例えば、０．１）を用いるようにしてもよい。すなわち、入退室管理サーバ１（図２参照）の電気錠情報記録部１２２において、各電気錠６の故障回数（累積故障回数）をカウントし、電気錠情報に記録しておく。そして、電気錠寿命推定部１２１は、当該電気錠６の寿命の予測値を計算するときには、以下の式（３）により計算する。
【００３８】
電気錠の寿命の予測値＝電気錠の耐用回数Ｄ／所定時間（１年間）における当該電気錠の設置される扉の開閉回数Ｂ−｛当該扉の電気錠の稼動年数Ａ＋（当該扉の電気錠の故障回数×０．１）｝…式（３）
【００３９】
このようにすることで、電気錠寿命推定部１２１が電気錠６の寿命の予測値を計算するとき、当該電気錠６の故障回数を反映させることができる。つまり、頻繁に故障が発生する電気錠６ほど、式（３）において電気錠６の寿命の予測値も短い年数とすることができる。
【００４０】
なお、前記した実施の形態において、ＤＢ部３は、入退室管理サーバ１とは別個の装置として説明したがこれに限定されない。例えば、ＤＢ部３に記憶される各情報を、入退室管理サーバ１側で保持するようにしてもよい。
【符号の説明】
【００４１】
１      入退室管理サーバ
２      表示装置
３      ＤＢ部（記憶部）
４      制御装置
５      ＣＲ（カードリーダ）
６      電気錠
７      通信回線
１１，４１    入出力部
１２，４２    制御部
１３，４３    記憶部
４２１  開閉制御部
４２２  電気錠監視部
１２１  電気錠寿命推定部
１２２  電気錠情報記録部
１２３  表示処理部
【図１】
2014133995.tif 000003
【図２】
2014133995.tif 000004
【図３】
2014133995.tif 000005
【図４】
2014133995.tif 000006
【図５】
2014133995.tif 000007